(57)【特許請求の範囲】
【請求項１】
外部電源からの電源供給を受けて放電灯を点灯する点灯回路を実装した回路基板と、回路基板の端部に実装されて外部電源並びに放電灯に接続した電線が接離自在に接続される端子部と、回路基板を収納するケースとを備え、ケースは回路基板を内側に保持するケース本体と該ケース本体を開閉自在に閉塞するケース蓋とからなり、端子部を外部に臨ませる開口部を回路基板端部と向かい合うケース蓋の側板に形成するとともに端子部の露出量を増やすように該側板を可動自在に形成したことを特徴とする放電灯点灯装置。
【請求項２】
ケース蓋の側板に複数の折曲部位を設けたことを特徴とする請求項１記載の放電灯点灯装置。
【請求項３】
ケース蓋がＴＭ材からなることを特徴とする請求項１又は２記載の放電灯点灯装置。
【請求項４】
回路基板のケース蓋側板とケース本体との間に位置する部位に点灯回路を構成する回路部品を実装したことを特徴とする請求項２記載の放電灯点灯装置。
【請求項５】
断面形状略コ字形の筒状に形成されたケース本体と、ケース本体の開口面側から結合されるケース蓋とでケースを構成し、ケース本体の両側壁内側にケース蓋の端縁を挿入してなることを特徴とする請求項１〜４の何れかに記載の放電灯点灯装置。
【請求項６】
断面形状略コ字形の筒状に形成されたケース本体と、ケース本体の開口面側から結合されるケース蓋とでケースを構成し、ケース本体とケース蓋を一体に形成したことを特徴とする請求項１〜４の何れかに記載の放電灯点灯装置。
【請求項７】
ケース本体の一方の側壁の端縁にケース蓋を一体且つ折曲自在に形成したことを特徴とする請求項６記載の放電灯点灯装置。
【請求項８】
ケース本体の両側壁の端縁に一体且つ折曲自在に形成した一対の蓋片によりケース蓋を構成したことを特徴とする請求項６記載の放電灯点灯装置。
【請求項９】
回路基板を底面から浮かせて支持する支持突部をケース本体に設け、ケース本体の底面及び両側壁と回路基板との間に絶縁シートを介装してなり、絶縁シートの両側壁に対向する部位に支持突部との干渉を避ける切り欠きを設けたことを特徴とする請求項１〜８の何れかに記載の放電灯点灯装置。
【請求項１０】
絶縁シートの切り欠きを回路基板からケース本体底面に至るまでの部位に設けたことを特徴とする請求項９記載の放電灯点灯装置。
【請求項１１】
絶縁シートのケース本体底面と回路基板の間に介装する部位を回路基板よりも小さくない寸法に形成したことを特徴とする請求項９又は１０記載の放電灯点灯装置。
【請求項１２】
ケース蓋の側板のうち開口部の両側部が撓み自在となることを特徴とする請求項１〜１１の何れかに記載の放電灯点灯装置。
【発明の詳細な説明】
【０００１】
【発明の属する技術分野】
本発明は、放電灯点灯装置に関するものである。
【０００２】
【従来の技術】
従来例として蛍光灯を点灯させる放電灯点灯装置（蛍光灯電子安定器）の外観斜視図を図１１に示す。この従来装置は、外部電源（商用電源）からの電源供給を受けて放電灯を点灯する点灯回路を実装した回路基板１と、回路基板１を収納するケース１０とを備えている。このケース１０は、断面形状略コ字形の筒状に形成されたケース本体１１と、ケース本体１１の開口面側に結合されるケース蓋１２とで構成され、ケース本体１１の内側に回路基板１を保持してケース蓋１２によりケース本体１１を閉塞するものである。
【０００３】
回路基板１はプリント基板によって長尺の矩形板状に形成され、表面側（図１１における上面側）の長手方向両端部には各々速結端子構造を有する電源側端子部２及び負荷側端子部３が実装されている。電源側端子部２及び負荷側端子部３は接続可能な電線の本数が異なる以外は共通の構造を有しており、しかもこのような速結端子構造は従来周知であるから、ここでは電源側端子部２についてのみ簡単に説明する。
【０００４】
電源側端子部２のハウジング２ａ前面には略円形の電線挿入孔２ｂが複数列設されており、ハウジング２ａ内部には互いに絶縁壁等で仕切られて各電線挿入孔２ｂと連通する収納部（図示せず）が設けてある。これらの収納部には電線挿入孔２ｂから挿入された電線の芯線を鎖錠して弾性狭持する端子板が収納されており、被覆を剥いだ電線の芯線を電線挿入孔２ｂに挿入するだけで端子板との接続を保持することができる。また、ハウジング２ａの上面には冶具挿入孔（図示せず）が開口してあり、この冶具挿入孔に挿入した冶具で押操作されたときに鎖錠状態から解放して電線の接続を外せるようにしてある。但し、冶具を使わずに作業可能とするために、押操作されたときに鎖錠状態から解放して電線の接続を外す解除操作部をハウジング２ａに設ける場合もある。なお、ハウジング２ａの底面からは各端子板と導通するリード（図示せず）が突設されており、回路基板１の裏面側において上記リードを半田付けすることで回路基板１に実装された他の回路部品と電線とが電気的に接続される。而して、外部電源に接続された電源側の電線、並びに器具本体に配設されて放電灯が着脱自在に装着されるランプソケット（図示せず）に接続された負荷側の電線をそれぞれ電源側端子部２並びに負荷側端子部３に簡単且つ確実に接続することができ、配線作業が容易に行えるものである。
【０００５】
ケース本体１１は、矩形板状の底板１１ａと、底板１１ａの長手方向に沿った両側縁からそれぞれ立ち上がる側壁１１ｂ，１１ｂとが一体且つ断面形状が略コ字形となるようにアルミのような金属製の板材を折曲して形成されている。また、図１２に示すようにケース本体１１の両側壁１１ｂ，１１ｂにおける長手方向両端部近傍には、回路基板１を底板１１ａから浮かせて支持する支持突部１１ｃと、回路基板１の端部四隅に各々当接してケース本体１１の長手方向に対する回路基板１の移動を規制する規制突起１１ｄとが各々４個ずつ突設されている。
【０００６】
ケース蓋１２は、ケース本体１１の底板１１ａよりも長手方向の寸法が短い矩形板状の主片１２ａと、主片１２ａの長手方向に沿った両側縁からそれぞれ垂下された断面形状略へ字形の側片１２ｂ，１２ｂと、主片１２ａの長手方向に対向する両端縁から側片１２ｂと同じ側に垂下された側板１２ｃ，１２ｃとが一体に形成されている。ここで、両側板１２ｃ，１２ｃによってケース１０の長手方向両端部からケース１０内部への指や異物等の侵入を防いでいるが、電源側端子部２及び負荷側端子部３を外部に臨ませるために、ケース蓋１２の一方の側板１２ｃの一部が電源側端子部２のハウジング２ａに沿って切り欠かれ、他方の側板１２ｃの先端が負荷側端子部３のハウジング３ａに触れない程度の寸法に形成されている。
【０００７】
ところで、回路基板１とケース本体１１との間には合成樹脂成型品から成る絶縁シート４が介装される。絶縁シート４は矩形板状の主片４ａと、主片４ａの長手方向に沿った両側縁からそれぞれ立ち起こされた一対の側片４ｂ，４ｂとが一体に形成されてなり、主片４ａの長手方向寸法が回路基板１の長手方向寸法と略同じ寸法としてある。そして、回路基板１とケース本体１１との間に介装される絶縁シート４により、回路基板１の配線パターン及び実装部品とケース本体１１との絶縁を図っている。ここで、ケース本体１１の両側壁１１ｂ，１１ｂに突設された支持突部１１ｃと絶縁シート４が干渉しないようにするため、図１３に示すように絶縁シート４の主片１４ａ及び両側片４ｂ，４ｂに略矩形の逃がし孔４ｃが設けてある。すなわち、回路基板１とケース本体１１との間に絶縁シート４を介装する際、ケース本体１１の両側壁１１ｂ，１１ｂに突設された支持突部１１ｃを絶縁シート４の主片１４ａ及び両側片４ｂ，４ｂに形成した逃がし孔４ｃに挿通することで支持突部１１ｃと絶縁シート４との干渉を防いでいる。
【０００８】
一方、図１４に示す他の従来構造では、ケース本体１１の底板１１ａにおける長手方向両端部近傍に回路基板１を支持する略Ｌ字形の支持片１１ｅが各々２個ずつ切り起こし形成され、これら４つの支持片１１ｅに回路基板１の両端部をそれぞれ載置することで回路基板１を支持している。この場合、絶縁シート４と支持片１１ｅとの干渉を防ぐために、絶縁シート４の長手方向の寸法を回路基板１よりも短くして支持片１１ｅに当たらないようにしている。
【０００９】
【発明が解決しようとする課題】
ところで、上記従来例においてはケース蓋１２の側板１２ｃ，１２ｃと電源側端子部２及び負荷側端子部３とが接近しているため、一旦接続した電線を外す際に冶具挿入孔への冶具の挿入や解除操作部の操作がしづらくなっており、このことが放電灯点灯装置（蛍光灯電子安定器）の交換作業時における作業者の負担となっている。なお、電源側端子部２及び負荷側端子部３のケース蓋１２からの露出量を増やすようにケース蓋１２の長手方向の寸法を小さくすると、回路基板１のケース蓋１２から露出する端部の寸法が大きくなってしまい、ケース蓋１２から露出する部分には電源側端子部２や負荷側端子部３以外の回路部品を実装することができないことから、回路基板１の実装面積が縮小されてしまうことになる。
【００１０】
また、従来の絶縁シート４の構造では、逃がし孔４ｃの主片４ａ長手方向に沿った寸法を支持突部１１ｃのケース本体１１長手方向に沿った寸法と略等しくした場合、図１３に示すようにケース本体１１の開口側（図１３における上方）から絶縁シート４をケース本体１１内に真っ直ぐに降ろすようにして介装しなければならないうえに、絶縁シート４をケース本体１１から取り外す際にも真っ直ぐに持ち上げるようにしなければ支持突部１１ｃが逃がし孔４ｃの周縁に引っ掛かって取り外せない虞がある。しかも、これを回避するために逃がし孔４ｃの主片４ａ長手方向に沿った寸法を支持突部１１ｃのケース本体１１長手方向に沿った寸法よりも大きくしてしまうと、絶縁シート４の絶縁性が低下してしまうことになる。一方、図１４に示したように絶縁シート４の長手方向の寸法を回路基板１よりも短くして支持片１１ｅとの干渉を防ぐ構造では、絶縁シート４によってケース本体１１との絶縁がされていない回路基板１の両端部に回路部品を実装したり配線パターンを形成することができなくなる。
【００１１】
本発明は上記問題に鑑みて為されたものであり、請求項１の発明の目的とするところは、回路基板の実装面積を縮小することなく端子部からの電線の取り外し作業を容易にした放電灯点灯装置を提供することにある。
【００１２】
また、請求項９の発明は上記目的に加えて、ケース本体に対する絶縁シートの着脱を容易にした放電灯点灯装置を提供することにある。
【００１３】
【課題を解決するための手段】
請求項１の発明は、上記目的を達成するために、外部電源からの電源供給を受けて放電灯を点灯する点灯回路を実装した回路基板と、回路基板の端部に実装されて外部電源並びに放電灯に接続した電線が接離自在に接続される端子部と、回路基板を収納するケースとを備え、ケースは回路基板を内側に保持するケース本体と該ケース本体を開閉自在に閉塞するケース蓋とからなり、端子部を外部に臨ませる開口部を回路基板端部と向かい合うケース蓋の側板に形成するとともに端子部の露出量を増やすように該側板を可動自在に形成したことを特徴とし、ケース蓋の側板を動かして端子部の露出量を増やすことができるため、端子部からの電線の取り外し作業を容易にすることができる。しかも、ケース蓋の寸法を小さくする必要がないので回路基板の実装面積を縮小することもない。
【００１４】
請求項２の発明は、請求項１の発明において、ケース蓋の側板に複数の折曲部位を設けたことを特徴とし、請求項１の発明の望ましい実施態様である。
【００１５】
請求項３の発明は、請求項１又は２の発明において、ケース蓋がＴＭ材からなることを特徴とし、請求項１又は２の発明の望ましい実施態様である。
【００１６】
請求項４の発明は、請求項２の発明において、回路基板のケース蓋側板とケース本体との間に位置する部位に点灯回路を構成する回路部品を実装したことを特徴とし、回路基板の実装スペースを有効に利用することができる。
【００１７】
請求項５の発明は、請求項１〜４の何れかの発明において、断面形状略コ字形の筒状に形成されたケース本体と、ケース本体の開口面側から結合されるケース蓋とでケースを構成し、ケース本体の両側壁内側にケース蓋の端縁を挿入してなることを特徴とし、一般にケースはケース本体が照明器具等に取り付けられてケース本体がケース蓋の上方に配置されるため、ケース本体の側壁とケース蓋との隙間が鉛直下方に向けて開口することになり、この隙間より異物が侵入して点灯回路が故障するといった不具合の発生を低減することができる。
【００１８】
請求項６の発明は、請求項１〜４の何れかの発明において、断面形状略コ字形の筒状に形成されたケース本体と、ケース本体の開口面側から結合されるケース蓋とでケースを構成し、ケース本体とケース蓋を一体に形成したことを特徴とし、ケース本体とケース蓋との結合が容易に行える。
【００１９】
請求項７の発明は、請求項６の発明において、ケース本体の一方の側壁の端縁にケース蓋を一体且つ折曲自在に形成したことを特徴とし、請求項６の発明の望ましい実施態様である。
【００２０】
請求項８の発明は、請求項６の発明において、ケース本体の両側壁の端縁に一体且つ折曲自在に形成した一対の蓋片によりケース蓋を構成したことを特徴とし、請求項６の発明の望ましい実施態様である。
【００２１】
請求項９の発明は、請求項１〜８の何れかの発明において、回路基板を底面から浮かせて支持する支持突部をケース本体に設け、ケース本体の底面及び両側壁と回路基板との間に絶縁シートを介装してなり、絶縁シートの両側壁に対向する部位に支持突部との干渉を避ける切り欠きを設けたことを特徴とし、ケース本体に対する絶縁シートの着脱が容易になる。
【００２２】
請求項１０の発明は、請求項９の発明において、絶縁シートの切り欠きを回路基板からケース本体底面に至るまでの部位に設けたことを特徴とし、請求項９の発明の望ましい実施態様である。
【００２３】
請求項１１の発明は、請求項９又は１０の発明において、絶縁シートのケース本体底面と回路基板の間に介装する部位を回路基板よりも小さくない寸法に形成したことを特徴とし、回路基板全体にわたってケース本体との間が絶縁シートによって絶縁されるため、回路基板の端部まで回路部品を実装することができる。
請求項１２の発明は、請求項１〜１１の何れかの発明において、ケース蓋の側板のうち開口部の両側部が撓み自在となることを特徴とし、側板を指で押圧してケース内に押し込むように動かせば、側板と端子部との距離を広げて端子部の露出量を増やすことができる。
【００２４】
【発明の実施の形態】
図面を参照して本発明を実施形態により詳細に説明する。但し、本実施形態の基本構成は従来例と共通であるので、共通する構成要素には同一の符号を付して説明を省略する。
【００２５】
本実施形態は、従来例と同様に外部電源からの電源供給を受けて放電灯を点灯する点灯回路を実装した回路基板１と、ケース本体１１とケース蓋１２を結合して構成され内部に回路基板１を収納するケース１０とを備えている。ケース本体１１は、図２に示すように従来例とほぼ同一の構造を有し、矩形板状の底板１１ａと、底板１１ａの長手方向に沿った両側縁からそれぞれ立ち上がる側壁１１ｂ，１１ｂとが一体且つ断面形状が略コ字形となるようにアルミのような金属製の板材を折曲して形成されている。また、両側壁１１ｂ，１１ｂの長手方向両端部における先端縁近傍には、後述するケース蓋１２の係止突部１２ｄが挿入係止される係止孔１１ｇが設けてある。さらに、ケース本体１１の両側壁１１ｂ，１１ｂにおける長手方向両端部近傍には、回路基板１を底板１１ａから浮かせて支持する支持突部１１ｃと、回路基板１の端部四隅に各々当接してケース本体１１の長手方向に対する回路基板１の移動を規制する規制突起１１ｄとが各々４個ずつ突設されている。なお、底板１１ａの長手方向両端部にはケース１０を照明器具に取り付けるための取付孔１１ｆが設けてある。
【００２６】
ケース蓋１２は鉄のようなＴＭ材からなり、図３に示すようにケース本体１１の底板１１ａよりも長手方向の寸法が短い矩形板状の主片１２ａと、主片１２ａの長手方向に沿った両側縁からそれぞれ延設された断面形状略へ字形の側片１２ｂ，１２ｂと、主片１２ａの長手方向に対向する両端縁から側片１２ｂと同じ側に延設された側板１２ｃ，１２ｃとが一体に形成されている。側片１２ｂ，１２ｂの長手方向両端部における先端縁近傍には、ケース本体１１の側壁１１ｂに設けられた係止孔１１ｇに挿入係止する係止突部１２ｄが内向きに突設されている。また、側板１２ｃ，１２ｃは先端がケース本体１１の底板１１ａ近傍まで延長されるとともに、複数（本実施形態では２つ）の折曲部位１２ｅ，１２ｆが設けられてケース本体１１の底板１１ａに近づくにつれて外側へ拡開されている。さらに、各側板１２ｃ，１２ｃには電源側端子部２及び負荷側端子部３を外部に臨ませる矩形の開口部１２ｇ，１２ｇが形成されている。なお、主片１２ａ、側片１２ｂ並びに側板１２ｃにはケース１０内の熱を放熱するために多数の貫通孔１２ｈが列設されている。
【００２７】
而して、本実施形態ではケース蓋１２の側板１２ｃ，１２ｃに複数の折曲部位１２ｅ，１２ｆを設けて外側に拡開させているため、図１に示すように側板１２ｃ，１２ｃが可動自在（撓み自在）となる。よって、図４に示すように静止状態におけるケース蓋１２の側板１２ｃと電源側端子部２（又は負荷側端子部３）のハウジング２ａ端部との距離ｄ１に対して、側板１２ｃを指で押圧してケース１０内に押し込むように動かせば、側板１２ｃと電源側端子部２（又は負荷側端子部３）との距離ｄ２を広げて電源側端子部２（又は負荷側端子部３）の露出量を増やすことができる。その結果、一旦電源側端子部２（又は負荷側端子部３）に接続した電線を外す際に側板１２ｃを移動させることで冶具挿入孔への冶具の挿入や解除操作部の操作の邪魔になることがなく、放電灯点灯装置（蛍光灯電子安定器）の交換作業時における作業者の負担を大幅に軽減することができる。しかも、このようにケース蓋１２の側板１２ｃ，１２ｃを可動自在とすることで側板１２ｃ，１２ｃの先端をケース本体１１の先端近傍まで延ばしてケース蓋１２の長手方向寸法を大きくすることができる。このため、図５に示すように側板１２ｃとケース本体１１との間に位置する回路基板１の端部にも点灯回路を構成する回路部品Ｂを実装することができ、回路基板１の実装スペースを有効に利用して無駄を無くすことができる上に装置の小型化も図れる。
【００２８】
ところで、本実施形態は天井に配設される照明器具に用いられるものであって、図６（ａ）に示すように通常ケース本体１１を照明器具に取り付けてケース本体１１がケース蓋１２の上方に配置されることになる。この場合、ケース本体１１の側壁１１ｂとケース蓋１２の側片１２ｂとの隙間が鉛直上方に向けて開口することになり、この隙間より異物が侵入して点灯回路が故障するといった不具合が発生する虞がある。そこで、図６（ｂ）に示すようにケース本体１１の両側壁１１ｂ，１１ｂの内側にケース蓋１２の側片１２ｂ，１２ｂの端縁を挿入してケース本体１１とケース蓋１２を結合する構造とすれば、ケース本体１１の側壁１１ｂ，１１ｂとケース蓋１２の側片１２ｂ，１２ｂとの隙間が鉛直下方に向けて開口することになり、この隙間より異物が侵入して点灯回路が故障するといった不具合の発生を低減することができる。なお、このような構造を採用する場合には、ケース本体１１の側壁１１ｂに設けられた係止孔１１ｇに挿入係止する係止突部１２ｄを外向きに突設する必要がある。
【００２９】
ところで本実施形態では、従来例における絶縁シート４の側片４ｂの逃がし孔４ｃ周縁部位のうちで回路基板１からケース本体１１の底板１１ａに至るまでの部位Ｘ（図８参照）を切除することによって、図７に示すように逃がし孔４ｃを主片４ａの長手方向外側に開放してなる切り欠き４ｄを形成している。すなわち、従来の逃がし孔４ｃを切り欠き４ｄとしたことにより、図８に示すように絶縁シート４の側片４ｂ，４ｂの先端部Ｍが図中矢印の方向に可動自在となる。その結果、支持突部１１ｃが切り欠き４ｄの周縁に引っ掛からなくなるので、ケース本体１１に対する絶縁シート４の着脱方向が従来例のように１方向に限定されることがなく、絶縁シート４の絶縁性低下を防ぎながら絶縁シート４の着脱作業が容易になるものである。しかも、このような構造を採用したことにより、絶縁シート４の長手方向の寸法を回路基板１よりも小さくない寸法とすることができる。このため、回路基板１全体にわたってケース本体１１との間が絶縁シート４によって絶縁され、回路基板１の端部まで回路部品を実装することができる。
【００３０】
ところで、ケース１０を構成するケース本体１１とケース蓋１２を別体に形成した場合、両者を結合するための構造（取付孔１１ｆ及び係止突起１２ｄ）にコスト（加工費用）がかかることになる。そこで、図９に示すようにケース本体１１の一方の側壁１１ｂの端縁にケース蓋１２を一体且つ折曲自在に形成し、回路基板１を収納した状態でケース蓋１２を折曲してケース本体１１に結合する構造とすれば、取付孔１１ｆ及び係止突起１２ｄをそれぞれケース本体１１の片方の側壁１１ｂ並びにケース蓋１２の片方の側片１２ｂのみに設ければよくなるので、加工費用を低減することができるとともにケース本体１１とケース蓋１２との結合作業が容易になるという利点がある。あるいは図１０に示すようにケース蓋１２を主片１２ａの略中心線に沿って２つのケース蓋片１２Ａ，１２Ｂに分割するとともに、ケース本体１１の両側壁１１ｂ，１１ｂの端縁に各ケース蓋片１２Ａ，１２Ｂをそれぞれ一体且つ折曲自在に形成し、回路基板１を収納した状態でケース蓋片１２Ａ，１２Ｂを折曲して両者を結合する構造としてもよい。
【００３１】
【発明の効果】
請求項１の発明は、外部電源からの電源供給を受けて放電灯を点灯する点灯回路を実装した回路基板と、回路基板の端部に実装されて外部電源並びに放電灯に接続した電線が接離自在に接続される端子部と、回路基板を収納するケースとを備え、ケースは回路基板を内側に保持するケース本体と該ケース本体を開閉自在に閉塞するケース蓋とからなり、端子部を外部に臨ませる開口部を回路基板端部と向かい合うケース蓋の側板に形成するとともに端子部の露出量を増やすように該側板を可動自在に形成したので、ケース蓋の側板を動かして端子部の露出量を増やすことができるため、端子部からの電線の取り外し作業を容易にすることができ、しかも、ケース蓋の寸法を小さくする必要がないので回路基板の実装面積を縮小することもない。
【００３２】
請求項４の発明は、請求項２の発明において、回路基板のケース蓋側板とケース本体との間に位置する部位に点灯回路を構成する回路部品を実装したので、回路基板の実装スペースを有効に利用することができる。
【００３３】
請求項５の発明は、請求項１〜４の何れかの発明において、断面形状略コ字形の筒状に形成されたケース本体と、ケース本体の開口面側から結合されるケース蓋とでケースを構成し、ケース本体の両側壁内側にケース蓋の端縁を挿入してなるので、一般にケースはケース本体が照明器具等に取り付けられてケース本体がケース蓋の上方に配置されるため、ケース本体の側壁とケース蓋との隙間が鉛直下方に向けて開口することになり、この隙間より異物が侵入して点灯回路が故障するといった不具合の発生を低減することができる。
【００３４】
請求項６の発明は、請求項１〜４の何れかの発明において、断面形状略コ字形の筒状に形成されたケース本体と、ケース本体の開口面側から結合されるケース蓋とでケースを構成し、ケース本体とケース蓋を一体に形成したので、ケース本体とケース蓋との結合が容易に行える。
【００３５】
請求項９の発明は、請求項１〜８の何れかの発明において、回路基板を底面から浮かせて支持する支持突部をケース本体に設け、ケース本体の底面及び両側壁と回路基板との間に絶縁シートを介装してなり、絶縁シートの両側壁に対向する部位に支持突部との干渉を避ける切り欠きを設けたので、ケース本体に対する絶縁シートの着脱が容易になる。
【００３６】
請求項１１の発明は、請求項９又は１０の発明において、絶縁シートのケース本体底面と回路基板の間に介装する部位を回路基板よりも小さくない寸法に形成したので、回路基板全体にわたってケース本体との間が絶縁シートによって絶縁されるため、回路基板の端部まで回路部品を実装することができる。
請求項１２の発明は、請求項１〜１１の何れかの発明において、ケース蓋の側板のうち開口部の両側部が撓み自在となるので、側板を指で押圧してケース内に押し込むように動かせば、側板と端子部との距離を広げて端子部の露出量を増やすことができる。
【図面の簡単な説明】
【図１】実施形態を示す一部省略した斜視図である。
【図２】同上におけるケース本体を示し、（ａ）は正面図、（ｂ）は側面図、（ｃ）は他の側面図である。
【図３】同上におけるケース蓋を示し、（ａ）は正面図、（ｂ）は側面図、（ｃ）は他の側面図、（ｄ）はさらに他の側面図である。
【図４】同上の一部省略した側面図である。
【図５】同上の一部省略した正面図である。
【図６】（ａ）は同上の側面図、（ｂ）は同上の他の構造を示す側面図である。
【図７】同上の一部省略した分解斜視図である。
【図８】同上における絶縁シートの一部省略した斜視図である。
【図９】同上におけるケースの他の構造を示す一部省略且つ破断した斜視図である。
【図１０】同上におけるケースのさらに他の構造を示す一部省略且つ破断した斜視図である。
【図１１】従来例を示し、（ａ）は電源側端子部の方から見た斜視図、（ｂ）は負荷側端子部の方から見た斜視図である。
【図１２】同上の一部省略した側面断面図である。
【図１３】同上の一部省略した分解斜視図である。
【図１４】他の従来例を示す一部省略した分解斜視図である。
【符号の説明】
１  回路基板
２  電源側端子部
３  負荷側端子部
４  回路基板
１０  ケース
１１  ケース本体
１２  ケース蓋
１２ｃ  側板
１２ｅ，１２ｆ  折曲部位
【図１】
0004038994.tif 000002
【図２】
0004038994.tif 000003
【図３】
0004038994.tif 000004
【図４】
0004038994.tif 000005
【図５】
0004038994.tif 000006
【図６】
0004038994.tif 000007
【図７】
0004038994.tif 000008
【図８】
0004038994.tif 000009
【図９】
0004038994.tif 000010
【図１０】
0004038994.tif 000011
【図１１】
0004038994.tif 000012
【図１２】
0004038994.tif 000013
【図１３】
0004038994.tif 000014
【図１４】
0004038994.tif 000015